(57)【要約】 【課題】  画像データ毎の注文の進行状況を撮影装置で容易に確認できるようにすること。【解決手段】  デジタルカメラ２やカメラ付き携帯電話３等の撮影装置１は、撮影して生成した画像データにステータス情報を対応づけて記憶する。この画像データのプリントを注文する際に、先ず、無線ＬＡＮポートＬＰを介して公衆回線網Ｎに接続する。そして、受注サーバ５とネットワークを形成して、ＩＤ情報と見積もり依頼情報とを当該受注サーバ５に送信する。そして、撮影装置１は、各受注サーバ５から送信されてくるサービス条件情報の中から択一的に選択し、その選択したサービス条件条件の送信元の受注サーバ５に注文情報を送信する。受注サーバ５は、注文情報を受信すると、ステータス情報を「注文受付済」に変更するためのステータス変更指示情報を作成して、撮影装置１に送信する。【選択図】図１
2007072648.tif 000002
【特許請求の範囲】
【請求項１】
撮影して画像データを生成し、当該画像データの記録媒体への記録の注文情報を送信する撮影装置と、その送信された注文情報に基づいて当該画像データの記録媒体への記録の注文を受け付ける受注サーバとが通信回線に接続されたプリント注文システムにおいて、
前記撮影装置は、
前記注文の進行状況を表すステータス情報を前記画像データ毎に対応づけて記憶する記憶手段と、
前記注文情報が送信された画像データに対応づけられたステータス情報を前記受注サーバの変更指示に応じて更新する更新手段と、
を備え、前記受注サーバは、
前記受け付けた注文の進行状態に基づいて前記画像データに対応づけられたステータス情報を変更する変更指示を前記撮影装置に送信する変更指示手段を備えることを特徴とするプリント注文システム。
【請求項２】
前記変更指示手段は、前記注文の受付完了時に前記ステータス情報の変更指示を送信し、
前記更新手段は、前記ステータス情報の変更指示に応じて当該ステータス情報を注文受付済状態に変更することを特徴とする請求項１に記載のプリント注文システム。
【請求項３】
前記変更指示手段は、前記記録媒体への記録完了時に前記ステータス情報の変更指示を送信し、
前記更新手段は、前記ステータス情報の変更指示に応じて当該ステータス情報を記録完了状態に変更することを特徴とする請求項１又は２に記載のプリント注文システム。
【請求項４】
前記撮影装置は、
前記ステータス情報に基づいて前記画像データが注文受付済状態又は記録完了状態であると判定した場合、当該ステータス情報に対応づけられた画像データの前記記憶媒体への記録の注文情報の送信に制限をかけることを特徴とする請求項１〜３の何れか一項に記載のプリント注文システム。
【請求項５】
前記撮影装置は、
前記ステータス情報に基づいて前記画像データが注文受付済状態又は記録完了状態であると判定した場合、当該ステータス情報に対応づけられた画像データを前記記録手段から消去することを特徴とする請求項１〜４の何れか一項に記載のプリント注文システム。
【請求項６】
前記画像データの記録媒体への記録は、前記画像データに基づいた画像を感光材料に画像形成する写真プリントであることを特徴とする請求項１〜５の何れか一項に記載のプリント注文システム。
【請求項７】
前記撮影装置は、前記通信回線に無線接続することを特徴とする請求項１〜６の何れか一項に記載のプリント注文システム。
【請求項８】
撮影して画像データを生成する撮影手段と、
前記画像データの記録媒体への記録の注文情報を送信する注文情報送信手段と、
前記画像データの注文の進行状況を表すステータス情報を前記画像データ毎に対応づけて記憶する記憶手段と、
前記注文情報が送信された画像データに対応づけられたステータス情報を前記受注サーバの変更指示に応じて更新する更新手段と、
を備えることを特徴とする撮影装置。
【請求項９】
前記ステータス情報に基づいて前記画像データが注文受付済状態又は記録完了状態であると判定した場合、当該ステータス情報に対応づけられた画像データの注文に制限をかけることを特徴とする請求項８に記載の撮影装置。
【請求項１０】
前記ステータス情報に基づいて前記画像データが注文受付済状態又は記録完了状態であると判定した場合、当該ステータス情報に対応づけられた画像データを前記記録手段から消去することを特徴とする請求項８又は９に記載の撮影装置。
【請求項１１】
注文情報に基づいて画像データの記録媒体への記録の注文を撮影装置から受け付ける受注手段と、
前記受け付けた注文の進行状態に基づいて前記画像データに対応づけられたステータス情報を変更する変更指示を前記撮影装置に送信する変更指示手段と、
を備えることを特徴とする受注サーバ。
【発明の詳細な説明】
【技術分野】
【０００１】
本発明は、撮影して画像データを生成する撮影装置と、当該画像データの記録媒体への記録の注文を受け付ける受注サーバとが通信回線に接続されたプリント注文システムに関する。
【背景技術】
【０００２】
デジタルカメラに代表される撮影装置は、メモリの大容量化に伴って撮影可能な画像の枚数が増えている。また、銀塩カメラは、撮影した画像をフィルムに逐次記録していくが、デジタルカメラは、撮影結果をディスプレイで確認してメモリに保存するか否かを選択したり、メモリに保存された画像データを消去したりすることができる。このため、ユーザは、大量の画像を気軽に撮影するこことができるようになった。
【０００３】
また、インターネット等のネットワーク技術の開発により、撮影装置をネットワークを介してパーソナルコンピュータに接続し、ネットワーク上のサーバに画像データを送信することも可能になった。このようなネットワーク技術を利用して、撮影装置で生成された画像データの写真プリントやＣＤ−Ｒ等の記録媒体への記録（以下、この記録媒体への記録を総称して「プリント」という。）を、インターネット等を介してプリント店の受注サーバに注文するシステムがある。
【０００４】
また、パソコンを介さずにデジタルカメラを直接ネットワークに接続して画像データの通信が可能になり、撮影時に撮影装置の転送選択ボタンが押下された画像データを無線ＬＡＮを介して画像サーバに送信してプリント注文を行い、当該画像サーバから画像データの受信の完了や、プリントが完了した旨の電子メールを受信する技術が知られている（特許文献１参照）。
【特許文献１】特開２００４−６４４２２号公報
【発明の開示】
【発明が解決しようとする課題】
【０００５】
ところで、撮影装置は、上述したように大量の画像データをメモリに保存することができるため、銀塩カメラとは異なり、その保存された画像データのうちの一部をプリントする傾向にある。しかし、ユーザは、撮影から日数が経つれて、メモリに保存された個々の画像データを既に注文したか、まだ注文していないかを忘れてしまう可能性がある。このため、注文済の画像データのプリントを再度注文してしまい、無駄なプリントを行ってしまう場合がある。
【０００６】
また、特許文献１の技術では、注文した画像データの受信完了や、プリント完了を電子メールで知ることができるが、ユーザは、この電子メールをわざわざ確認しなければならず、また、撮影可能な画像の枚数の増大により、個々の画像毎に電子メールを確認するのは、とても煩雑であった。また、サーバ側でのプリント状態がどのようなっているかは、電子メールが到達するまで分からなく、常時その情報を知ることは困難であった。
【０００７】
本発明は、上述した課題に鑑みて為されたものであり、その目的は、画像データ毎の注文の進行状況を撮影装置で容易に確認できるようにすることである。
【課題を解決するための手段】
【０００８】
以上の課題を解決するために、請求項１に記載の発明は、
撮影して画像データを生成し、当該画像データの記録媒体への記録の注文情報を送信する撮影装置と、その送信された注文情報に基づいて当該画像データの記録媒体への記録の注文を受け付ける受注サーバとが通信回線に接続されたプリント注文システムにおいて、
前記撮影装置は、
前記注文の進行状況を表すステータス情報を前記画像データ毎に対応づけて記憶する記憶手段と、
前記注文情報が送信された画像データに対応づけられたステータス情報を前記受注サーバの変更指示に応じて更新する更新手段と、
を備え、前記受注サーバは、
前記受け付けた注文の進行状態に基づいて前記画像データに対応づけられたステータス情報を変更する変更指示を前記撮影装置に送信する変更指示手段を備えることを特徴としている。
【０００９】
請求項２に記載の発明は、請求項１に記載の発明において、
前記変更指示手段は、前記注文の受付完了時に前記ステータス情報の変更指示を送信し、
前記更新手段は、前記ステータス情報の変更指示に応じて当該ステータス情報を注文受付済状態に変更することを特徴としている。
【００１０】
請求項３に記載の発明は、請求項１又は２に記載の発明において、
前記変更指示手段は、前記記録媒体への記録完了時に前記ステータス情報の変更指示を送信し、
前記更新手段は、前記ステータス情報の変更指示に応じて当該ステータス情報を記録完了状態に変更することを特徴としている。
【００１１】
請求項４に記載の発明は、請求項１〜３の何れか一項に記載の発明において、
前記撮影装置は、
前記ステータス情報に基づいて前記画像データが注文受付済状態又は記録完了状態であると判定した場合、当該ステータス情報に対応づけられた画像データの前記記憶媒体への記録の注文情報の送信に制限をかけることを特徴としている。
【００１２】
請求項５に記載の発明は、請求項１〜４の何れか一項に記載の発明において、
前記撮影装置は、
前記ステータス情報に基づいて前記画像データが注文受付済状態又は記録完了状態であると判定した場合、当該ステータス情報に対応づけられた画像データを前記記録手段から消去することを特徴としている。
【００１３】
請求項６に記載の発明は、請求項１〜５の何れか一項に記載の発明において、
前記画像データの記録媒体への記録は、前記画像データに基づいた画像を感光材料に画像形成する写真プリントであることを特徴としている。
【００１４】
請求項７に記載の発明は、請求項１〜６の何れか一項に記載の発明において、
前記撮影装置は、前記通信回線に無線接続することを特徴としている。
【００１５】
請求項８に記載の撮影装置は、
撮影して画像データを生成する撮影手段と、
前記画像データの記録媒体への記録の注文情報を送信する注文情報送信手段と、
前記画像データの注文の進行状況を表すステータス情報を前記画像データ毎に対応づけて記憶する記憶手段と、
前記注文情報が送信された画像データに対応づけられたステータス情報を前記受注サーバの変更指示に応じて更新する更新手段と、
を備えることを特徴としている。
【００１６】
請求項９に記載の発明は、請求項８に記載の発明において、
前記ステータス情報に基づいて前記画像データが注文受付済状態又は記録完了状態であると判定した場合、当該ステータス情報に対応づけられた画像データの注文に制限をかけることを特徴としている。
【００１７】
請求項１０に記載の発明は、請求項８又は９に記載の発明において、
前記ステータス情報に基づいて前記画像データが注文受付済状態又は記録完了状態であると判定した場合、当該ステータス情報に対応づけられた画像データを前記記録手段から消去することを特徴としている。
【００１８】
請求項１１に記載の受注サーバは、
注文情報に基づいて画像データの記録媒体への記録の注文を撮影装置から受け付ける受注手段と、
前記受け付けた注文の進行状態に基づいて前記画像データに対応づけられたステータス情報を変更する変更指示を前記撮影装置に送信する変更指示手段と、
を備えることを特徴としている。
【発明の効果】
【００１９】
請求項１、８及び１１に記載の発明によれば、受注サーバは、画像データの注文の進行状況に基づいて当該画像データに対応するステータス情報を変更する変更指示を撮影装置に送信し、撮影装置はこの送信された変更指示に応じてステータス情報を変更する。このため、注文の進行状況の変化を撮影装置側で画像データ毎に容易に確認することができる。
【００２０】
請求項２及び９に記載の発明によれば、注文の受付完了時にステータス情報を注文受注済状態に変更するため、注文の受付が完了しているか否かを撮影装置側で画像データ毎に確認することができる。従って、ユーザが重複してプリントの注文をしてしまうことを防止することができる。
【００２１】
請求項３及び１０に記載の発明によれば、画像データの記録が完了しているか否かを撮影装置側で画像データ毎に確認することができる。従って、ユーザが重複してプリントの注文をしてしまうことを防止することができ、ユーザがプリントの受け取り可能状態であることを認識することができる。
【００２２】
請求項４に記載の発明によれば、請求項１〜３の何れか一項に記載の発明と同様の効果が得られるのは無論のこと、ステータス情報に基づいて注文受付済状態又は記録完了状態であると判定した場合、当該ステータス情報に対応づけられた画像データの注文情報の送信に制限をかけるため、ユーザが重複してプリントの注文をしてしまうことを防止できる。
【００２３】
請求項５に記載の発明によれば、請求項１〜４の何れか一項に記載の発明と同様の効果が得られるのは無論のこと、ステータス情報に基づいて注文受付済状態又は記録完了状態であると判定した場合、当該ステータス情報に対応づけられた画像データを記録手段から消去するため、ユーザが重複してプリントの注文をしてしまうことを防止できる。また、記憶手段のメモリ容量を確保して、撮影可能な画像の枚数を増やすことができる。
【００２４】
請求項６に記載の発明によれば、請求項１〜５の何れか一項に記載の発明と同様の効果が得られるのは無論のこと、画像データに基づいた画像を感光材料に画像形成する写真プリントの注文を受け付けるプリント注文システムを実現できる。
【００２５】
請求項７に記載の発明によれば、請求項１〜６の何れか一項に記載の発明と同様の効果が得られるのは無論のこと、撮影装置が通信回線に無線接続するプリント注文システムを実現できる。
【発明を実施するための最良の形態】
【００２６】
〔システム概要〕
以下、本発明のプリント注文システムの実施形態について図１〜１１を用いて説明する。先ず、プリント注文システムの概要について図１を用いて説明する。
【００２７】
図１は、プリント注文システムＳのシステム構成の一例を示すブロック図である。プリント注文システムＳは、図１に示すように、店舗毎の受注サーバ５と、撮影装置１が無線通信接続可能な無線ＬＡＮポートＬＰとが公衆回線網Ｎに接続されて構成される。撮影装置１としては、デジタルカメラ２やカメラ付き携帯電話３、デジタルビデオカメラ４等の撮像部を備えた各種がある。尚、撮影装置１と受注サーバ５とを接続する通信回線は、公衆回線網Ｎに限らず、ＬＡＮ（Local Area Network）やＷＡＮ（Wide Area Network）等で接続することとしてもよい。
【００２８】
店舗Ａは、カラー写真に代表されるハロゲン化銀写真感光材料（以下、単に「感光材料」という。）に画像データに基づく画像を焼き付けて現像することで写真プリントを作成するプリント作成装置６Ａを有し、このプリント作成装置６Ａを用いて写真プリントを作成するサービスを顧客に提供する。
【００２９】
店舗Ｂは、プリント作成装置６Ｂと、画像データに基づく画像を記録紙上に印刷する印刷装置７とを有し、写真プリントと印刷のサービスを提供する。また、店舗Ｃは、プリント作成装置６Ｃと、画像データをＣＤ−ＲやＤＶＤ等の記録媒体に書き込むメディア作成装置８とを有し、写真プリントとメディア書き込みのサービスを提供する。尚、感光材料の現像（画像形成）、記録紙への画像形成及びメディアへの書き込みを総称して「プリント」という。各店舗の受注サーバ５は、撮影装置５からのプリント作成装置６や印刷装置７、メディア作成装置８に対するプリントの受け付けを行う。
【００３０】
ユーザは、撮影装置１で撮影した画像のプリントの注文を受注サーバ５に行う際に、無線ＬＡＮポートＬＰを介して、各店舗に見積もり依頼を行う。店舗側の受注サーバ５は、撮影装置１からの見積もり依頼に対して、代金、納期及び提供場所等のサービス条件情報を撮影装置１に送信する。そして、ユーザが、各受注サーバ５から送信されたサービス条件情報に基づいて所望の店舗を選択すると、その店舗に対しての注文が確定され、各種プリントが実行される。
【００３１】
本実施形態における撮影装置１は、撮影して生成した画像データ毎の注文の進行状況を表すステータス情報を記憶しており、受注サーバ５から送信されるステータス変更指示情報（後述）に応じてこのステータス情報を更新していく。このため、ユーザは、撮影装置１に記憶された画像データのプリントの注文を行ったか否か、当該プリントが完了したか否かを確認することができるようになる。
【００３２】
〔撮影装置の構成〕
次に、撮影装置１の構成について説明する。図２は、撮影装置１の機能構成の一例を示すブロック図である。図２に示すように、撮影装置１は、制御部１０、表示部２０、入力部３０、通信制御部４０、撮像部５０及び記憶部６０を備えて構成される。
【００３３】
制御部１０は、ＣＰＵ（Central Processing Unit）、ＲＯＭ（Read Only Memory）、ＲＡＭ（Random Access Memory）等を有して構成され、撮影装置１の各機能部を統括的に制御する。より具体的には、入力部３０から入力された操作信号に基づいてＲＯＭに記憶された各種プログラムを読み出し、そのプログラムに従った処理を行う。そして、その処理結果に基づいた表示データを表示部２０に出力して、当該処理結果を表示部２０に表示させる。
【００３４】
表示部２０は、バックライト付きのカラーＬＣＤ（Liquid Crystal Display）やＥＬＤ（Electronic Luminescent Display）で構成され、撮影装置１の各種情報や撮影画像等を表示する。例えば、撮影時には、電子ファインダーとして、撮影している被写体の画像を動画表示（いわゆるファインダー画像を表示）したり、シャッターが切られて撮像された瞬間の画像を表示したりする。
【００３５】
入力部３０は、カーソルキーやシャッターキー、各種ボタン等のプログラムの実行や、各種情報等の入力に必要なキー群を備えた入力装置であり、ユーザによって押下されたキーの操作信号を制御部１０に出力する。
【００３６】
通信制御部４０は、無線ＬＡＮポートＬＰを介して、公衆回線網Ｎ上の受注サーバ５とネットワーク接続するための無線通信モジュールであり、例えば、ＰＴＰ／ＩＰ（Picture Transfer Protocol/Internet Protocol）の無線伝送方式によって実現される。このＰＴＰ／ＩＰを採用することにより、撮影装置１をわざわざパソコンに接続したり、外部メモリ７０を脱着してパソコンでデータを読み出したりすることなく、撮影装置１に記憶される画像データを直接受注サーバ５に送信することができる。  
【００３７】
撮影手段としての撮像部５０は、撮影レンズ、ＣＣＤ（Charge Coupled Device）やＣＭＯＳ（Complementary Metal Oxide Semiconductor）等の撮像素子、及びタイミングジェネレータ等によって構成される。撮影レンズを介して入力される被写体の像を撮像素子で電気信号に変換して、画像データを随時生成し、生成した画像データを記憶部６０に一時的に格納する。制御部１０は、この随時生成される画像データに基づく画像を表示部２０に表示させることにより、表示部２０を被写体の動画を表示するファインダーとして機能させる。
【００３８】
記憶部６０は、読み書き可能なフラッシュメモリやハードディスク等により構成され、各種データを記憶し、また、外部メモリ７０に対するデータの読み書きを行う。また、図２に示すように、記憶部６０は、画像蓄積テーブル６１と、ステータス情報テーブル６３と、ＩＤ情報６５と、見積もり依頼情報６７と、注文情報６９とを記憶する。
【００３９】
画像蓄積テーブル６１は、撮像部５０により光電変換されて生成された画像データを蓄積的に記憶するデータテーブルである。制御部１０は、ユーザのシャッターキーの押下により、シャッターが切られたことを検知すると、その検知時に生成している画像データを例えば、ＪＰＧ形式にファイル化して画像蓄積テーブル６１に記憶する。また、ユーザ操作に従って、画像蓄積テーブル６１に記憶した画像データを外部メモリ７０にコピー又は転送する。
【００４０】
また、画像蓄積テーブル６１は、認証用画像データ６２を含む。この認証用画像データ６２は、ユーザの顔画像の画像データ（生体情報）であり、予め撮影されて生成される。制御部１０が、認証用画像データ６２を複数の受注サーバ５にマルチキャスト（送信）すると、各受注サーバ５において認証用画像データ６２に基づいてユーザ認証が行われる。このように、ユーザの顔画像を用いてユーザ認証を行うことで、撮影装置１に認証のための特別なハードウェア（例えば、パスワードを入力する数字キーや指紋読み取り装置）を別途設ける必要がなくなる。
【００４１】
記憶手段としてのステータス情報テーブル６３は、画像蓄積テーブル６１及び外部メモリ７０に記憶している画像データ毎のステータス情報を記憶するデータ領域であり、図３に示すように画像データのファイル名と、ステータス情報とを対応づけて記憶する。
【００４２】
ステータス情報は、各画像データの注文の進行状況を表すデータであり、「未処理」、「注文予定」、「注文情報送信済」、「注文受付済」及び「プリント作成完了」等がある。更新手段としての制御部１０は、受注サーバ５から送信されてくるステータス変更指示情報に基づいてこのステータス情報を変更・更新し、ステータス情報テーブル６３のデータ内容を、図８（ｂ）の画像一覧リスト２１０のように表示する。これにより、ユーザは、画像データ毎の注文の進行状況を確認することができる。
【００４３】
尚、このステータス情報テーブル６３が記憶するステータス情報を、画像データのコピーや削除の際に、当該画像データと同様にコピーや削除することとしてもよい。これにより、例えば、撮影装置１からパソコンに画像データを転送した場合に、当該パソコンにステータス情報を引き継ぐことができ、パソコンを用いて本実施形態と同様に注文した際に、ステータス情報を確認することができる。
【００４４】
ＩＤ情報６５は、ユーザの氏名、電話番号、住所等の個人情報であり、ユーザにより予め設定される。見積もり依頼情報６７は、プリント時の画像毎の枚数、プリントサイズ（例えば、Ｌ判プリント、大判プリント等）、プリント方法（写真プリント、印刷、メディア書き込み）等の注文内容を表すデータであり、画像データの選択時にユーザに設定される。
【００４５】
撮影装置１の制御部１０が、ＩＤ情報６５及び見積もり依頼情報６７を受注サーバ５に送信すると、複数の受注サーバ５から価格、納期、プリント物の提供場所等を示すサービス条件情報５２０が送信されてくる。注文情報送信手段としての制御部１０は、このサービス条件情報５２０を、図１０（ａ）のサービス条件一覧２４０のように店舗毎に表示部２０に表示させ、ユーザに選択された店舗に注文情報６９を送信してプリントの注文を行う。
【００４６】
注文情報６９は、例えば、ＤＰＯＦ（Digital Print Order Format）等のデータ形式により構成され、画像のサイズ、ファイル名、トリミング設定、機器情報、日付と時刻、プリント時の画像毎の枚数、プリントサイズ、プリント方法等を含む。画像毎の枚数、プリントサイズ、プリント方法は、ユーザにより選択され、他の情報は制御部１０が設定する。
【００４７】
〔受注サーバの構成〕
次に、受注サーバ５の構成について説明する。図４は、受注サーバ５の機能構成の一例を示すブロック図である。図４に示すように、受注サーバ５は、制御部１００、表示部２００、入力部３００、Ｉ／Ｆ部４００、記憶部５００及び通信制御部６００を備えて構成される。
【００４８】
制御部１００は、ＣＰＵ、ＲＯＭ、ＲＡＭ等を有して構成され、受注サーバ５の各機能部を統括的に制御する。表示部２００は、カラーＬＣＤ（Liquid Crystal Display）やＥＬＤ（Electronic Luminescent Display）で構成され、受注サーバ５の各種情報を表示する。入力部３００は、キーボードやマウス等を備えて構成され、ユーザによって押下されたキーの操作信号を制御部１００に出力する。
【００４９】
Ｉ／Ｆ部４００は、プリント作成装置６や印刷装置７、メディア作成装置８等の外部機器とデータ通信するための機能部であり、ＬＡＮインターフェイスやＵＳＢ等により構成される。通信制御部６００は、例えば、ＴＣＰ／ＩＰの通信方式により公衆回線網Ｎ上の受注サーバ５とネットワーク接続するための無線通信モジュールであり、モデムやＬＡＮインターフェイス、ＵＳＢ等を備えて構成される。
【００５０】
記憶部５００は、読み書き可能なフラッシュメモリやハードディスク等により構成され、各種データを記憶する。図４によれば、記憶部５００は、認証結果データ５１０と、サービス条件情報５２０と、ステータス変更指示情報５３０とを記憶している。
【００５１】
認証結果データ５１０は、制御部１００が予め登録されたユーザ毎の顔画像の画像データと撮影装置１から送信された認証用画像データ６２とを比較することにより、ユーザ認証を行った結果を示すデータである。制御部１００は、ユーザ認証後、その認証結果を認証結果データ５１０として撮影装置１に送信する。サービス条件情報５２０は、価格、納期、プリント物の提供場所等を示すデータであり、制御部１００が受信したＩＤ情報６５と見積もり依頼情報６７とをもとに作成する。
【００５２】
ステータス変更指示情報５３０は、撮影装置１で記憶する画像データ毎のステータス情報を変更させるための指示を表すデータである。変更指示手段としての制御部１００は、プリントの注文を受け付けた際には、その受け付けた画像データに対応するステータス情報を「注文受付済」に変更させるためのステータス変更指示情報５３０を送信し、また、プリント作成が終了した際には「プリント作成完了」に変更させるためのステータス変更指示情報５３０を送信して、撮影装置１側でステータス情報を変更させる。
【００５３】
〔システムの具体的な動作〕
次に、図５のデータ通信のシーケンスフローと図６及び７のフローチャートとを用いて、プリント注文システムＳの具体的な動作について説明する。また、図８〜１０は、撮影装置１の画面表示の遷移例であり、適宜当該表示例を参照しつつ説明する。
【００５４】
先ず、撮影装置１が無線ＬＡＮポートＬＰと無線通信可能な圏内に入ると、撮影装置１の制御部１０は、公衆回線網Ｎに接続されている複数の受注サーバ５と公衆回線網Ｎを介して通信接続を確立しネットワークを形成する（ステップＡ１，Ｂ１）。
【００５５】
そして、撮影装置１の制御部１０は、画像データである認証用画像データ６２を送信する（ステップＡ３）。各受注サーバ５の制御部１００は、受信した認証用画像データ６２と、予め登録されたユーザ毎の顔画像の画像データとを比較することにより、ユーザ認証を行い（ステップＢ３）、認証結果データ５１０を撮影装置１に送信する（ステップＢ５）。
【００５６】
撮影装置１の制御部１０は、ユーザが既に登録された正当なユーザであるという認証結果データ５１０を受信した場合に（ステップＡ５；Ｙｅｓ）、受注サーバ５からステータス変更指示情報５３０が送信されてきていないかを判定する（ステップＡ７）。ステータス変更指示情報５３０が送信されてきた場合は、当該情報に応じてステータス情報テーブル６３のステータス情報を変更する。このように、ユーザ認証を行うことで、第三者からの不正な注文行為を防止できる。
【００５７】
一方で、受注サーバ５の制御部１００は、ステップＢ５の処理後、プリント受注中の画像データの進行状況に基づいたステータス変更指示情報５３０を送信する（ステップＢ７）。これれは、撮影装置１との通信接続の切断後に、プリントの進行状況に変化があったとしても、受注サーバ５が撮影装置１にステータス変更指示情報５３０を送信できない場合のために、接続確立時に最新の進行状況に応じてステータス情報を変更するためである。例えば、プリントの受け付け後に、撮影装置１との通信接続が切断され、次の通信接続時にプリント作成が完成していた場合には、ステータス情報を「プリント作成完了」に変更させるためのステータス変更指示情報５３０を送信する。
【００５８】
撮影装置１の制御部１０は、通信接続の確立後にステータス情報の更新を行うと、図８（ａ）のように、表示部２０に撮影した撮像部５０により生成される画像データに基づいてファインダー画像２０３、１コマ注文ボタン２０１及び選択注文ボタン２０２を表示させる。そして、ユーザのシャッターキーの押下により撮影が為された際には（ステップＡ１１）、ファインダー画像２０３として表示している画像の画像データにステータス情報を割り当て（ステップＡ１３）、当該ステータス情報の初期値として「未処理」を設定して画像蓄積テーブル６１に記憶する（ステップＡ１５）。
【００５９】
そして、例えば、カーソルキーの操作により１コマ注文ボタン２０１を指定して、撮影した画像のプリント注文を行う場合（ステップＡ１９；Ｙｅｓ）、制御部１０は、直前に撮影した画像データの１コマ分の見積もり依頼情報６７を作成し（ステップＡ２７）、当該画像データに対応するステータス情報を「注文予定」に変更する（ステップＡ２９）。このように、撮影直後に１コマずつ注文可能にすることで、ユーザは、時間の経過に伴ってプリントの必要がある画像か否かが分からなくなることを防止し、その都度適切に判断できるようになる。
【００６０】
また、例えば、選択注文ボタン２０２を指定して、撮影した複数の画像を一括してプリント注文する場合（ステップＡ１９；Ｙｅｓ）、制御部１０は、ユーザのカーソルキーの操作に基づいて画像蓄積テーブル６１に記憶した画像データ中から選択し（ステップＡ２１）、その選択した画像データ分の見積もり依頼情報６７を作成し（ステップＡ２３）、当該画像データに対応するステータス情報を「注文予定」に変更する（ステップＡ２５）。
【００６１】
例えば、選択注文ボタン２０２が指定された際に、ステータス情報テーブル６３に基づいて図８（ｂ）に示すような画像データ毎のファイル名とステータス情報との画像一覧リスト２１０を表示する。この画像一覧リスト２１０には、ファイル名毎にチェックボックス２１３が表示され、このチェックボックス２１３をＯＮにすることで、ユーザは画像データの選択を行う。また、例えば、ファイル名「20050723_0001.jpg」のようにステータス情報が「プリント作成完了」のファイル名のチェックボックス２１２は、無効化して表示する。これにより、一度プリント注文した画像データの識別が可能となり、また、重複して注文してしまう無駄な注文行為を事前に防止することができる。
【００６２】
また、スクロールボタン２１６を操作することで、画像一覧リスト２１０を図８（ｃ）のようにスクロールさせることができる。そして、例えば、図９（ａ）のように、４つのファイル名のチェックボックス２２０をＯＮにすると、当該ファイル名の画像データに対応するステータス情報が「注文予定」に変更されて、制御部１０により表示部２０の表示が更新される。また、図９（ａ）の選択終了ボタン２１４が指定すると、図９（ｂ）に示す見積もり依頼画面２３０が表示部２０に表示される。
【００６３】
ユーザは、この見積もり依頼画面２３０において、選択した画像データ毎の枚数やプリント方法等を設定して、プリント注文ボタン２３１を指定すると、制御部１０により選択した画像データの見積もり依頼情報６７が作成される。
【００６４】
制御部１０は、この作成した見積もり依頼情報６７とＩＤ情報６５とを各受注サーバ５に送信し（ステップＡ３１）、選択された画像データに対応するステータス情報を「見積もり依頼済」に変更する（ステップＡ３３）。このとき、表示部２０は、図９（ｃ）のように更新される。
【００６５】
一方、受注サーバ５の制御部１００は、撮影装置１からＩＤ情報６５と見積もり依頼情報６７とを受信すると（ステップＢ９；Ｙｅｓ）、サービス条件情報５２０を作成して撮影装置１に送信する（ステップＢ１１）。これに対し、撮影装置１の制御部１０は、複数の受注サーバ５から送信されるサービス条件情報５２０を受信して、図１０（ａ）のサービス条件一覧２４０のように表示させる（ステップＡ３５）。
【００６６】
ユーザが、このサービス条件一覧２４０の中からプリント作成の注文を行う店舗を指定すると（ステップＡ３７）、制御部１０は、注文情報６９を作成し、その指定された店舗の受注サーバ５に選択された画像データ６４と注文情報６９とを送信する（ステップＡ３９）。そして、注文情報６９を送信した画像データ６４に対応するステータス情報を「注文情報送信済」に変更し、表示部２０を図１０（ｂ）のように更新する。
【００６７】
図１０（ａ）においては、ユーザが店舗Ａのチェックボックス２４１をＯＮに設定し、更に選択終了ボタン２４４を指定すると、店舗Ａの受注サーバ５にファイル「20050825_0003.jpg」、「20050825_004.jpg」、「20050825_0005.jpg」、「20050825_0006.jpg」の注文情報６９が送信される。
【００６８】
受注手段としての受注サーバ５の制御部１００は、注文情報６９を受信すると（ステップＢ１３；Ｙｅｓ）、当該注文情報６９に基づいて画像データ６４のプリント注文を受け付ける。そして、その注文を受けた画像データ６４のステータス情報を「注文受付済」に変更するためのステータス変更指示情報５３０を作成して、撮影装置１に送信する（ステップＢ１５）。次いで、プリント作成を開始し（ステップＢ１７）、そのプリント作成が完了すると（ステップＢ１９）、ステータス情報を「プリント作成完了」に変更するためのステータス変更指示情報５３０を作成して、撮影装置１に送信する（ステップＢ２１）。
【００６９】
一方、注文情報６９を送信した撮影装置１の制御部１０は、受注サーバ５からステータス変更指示情報５３０が送信されてくるまで待機する。そして、ステータス変更指示情報５３０を受信すると（ステップＡ４５；Ｙｅｓ）、当該情報に応じてステータス情報テーブル６３のステータス情報を変更する（ステップＡ４５）。これにより、注文した画像データのステータス情報を「注文受付済」に変更し、図１０（ｃ）のように表示を更新する。また、プリント作成の完了後に送られてくるステータス変更指示情報５３０に基づいて、ステータス情報を「プリント作成完了」に変更する。ユーザは、画像データ６４に対応するステータス情報が「プリント作成完了」に変更されたことを確認することで、サービス条件情報５２０で示される提供場所に写真プリント等を引き取りに行くことができる。
【００７０】
制御部１０は、例えば、電源のＯＦＦや撮影モードのＯＦＦが為されず、撮影を継続する場合は（ステップＡ４７；Ｎｏ）、ステップＡ７に処理を移行し、ステータス変更指示情報５３０の受信、撮影を行う。
【００７１】
以上、本実施形態によれば、撮影装置１は、撮影して生成した画像データ毎に、ステータス情報を対応づけて記憶・管理し、受注サーバ５から送信されてくるステータス変更指示情報５３０に応じて、ステータス情報を変更する。このように、画像データ毎にステータス情報を記憶・管理することで、各画像データのプリント注文の進行状況等の識別が可能になる。このため、ユーザは、撮影装置１でプリントの注文状態やプリント作成を画像データ毎に確認できる。また、注文済であるかを画像データ毎に認識でき、無駄な注文を防止できる。
【００７２】
〔変形例〕
尚、上述した実施形態は、本発明を適用した一例であり、その適用可能な範囲は上述したものに限らず、適宜変更可能である。例えば、ステータス変更指示情報としては上述してものに限られず、例えば、画像データのプリント時に、エラーが生じた際に、ステータス情報を「エラー発生」と変更させるためのステータス変更指示情報を送信してもよい。また、注文時にユーザの個人情報が不足した際、ステータス情報を「店舗Ａに要問い合わせ」と変更させるためのステータス変更指示情報を送信してもよい。これにより、注文時に不具合が生じて場合に、ユーザにその不具合を知らせることができる。
【００７３】
例えば、図１に示したシステム構成に限らず、図１１に示すように、無線ＬＡＮポートＬＰ、受注サーバ５及びプリント作成装置６を備えるＬＡＮを形成し、ルータＲＴを介して公衆回線網Ｎに接続するようにしてもよい。このように、撮影装置１がアクセス可能な受注サーバ５の範囲をネットワーク上の特定範囲に限定することとで、画像データ等のネットワーク外部への流出を遮断でき、セキュリティーの高いサービスの提供が可能となる。また、図１１のようなＬＡＮを例えば、撮影スタジオのような特定の撮影領域に設けることで、ユーザは、撮影、プリント判断及び注文を即時に行うことができ、より早いプリントの入手が可能になる。
【００７４】
また、ステータス情報を「注文受付済」又は「プリント作成完了」に設定変更した画像データは、図８（ｂ）のようにチェックボックス２１２を無効化して表示することで、当該画像データの注文情報の送信に制限をかけることとしたが、例えば、２回目以降のプリント注文を行う旨の表示を行って、ユーザの確認を得てから再注文することで、注文情報の送信に制限をかけることとしてもよい。また、当該画像データを画像蓄積テーブル６１から消去することとしてもよい。これにより、プリント注文済の画像データの再注文ができなくなると共に、記憶部６０の余分なメモリ占有を防止し、撮影可能な画像の枚数を確保することができる。
【００７５】
また、撮影装置１は、見積もり依頼情報６７や注文情報６９を公衆回線網Ｎに接続している受注サーバ５にマルチキャストすることとして説明したが、当該装置の位置情報に基づいて送信する受注サーバ５を選択することとしてもよい。より具体的には、撮影装置１が無線接続した無線ＬＡＮポートＬＰのＩＰアドレスやマックアドレス（位置情報）に基づいての近隣の受注サーバ５に送信する。これにより、接続した無線ＬＡＮポートＬＰの近隣にある店舗からサービス条件情報５２０を受信するため、ユーザは、近隣の店舗にプリントの注文を行うことができる。
【００７６】
また、例えば、撮影装置１にＧＰＳ受信機を設け、当該ＧＰＳ受信機により撮影装置１の現在位置を測位して、この現在位置を位置情報とすることとしてもよいし、ユーザが当該位置情報を設定することとしてもよい。これにより、ユーザが例えば旅行中の場合に、注文場所付近、自宅付近、目的地付近、その他の指定場所等、ユーザの行動予定に応じた場所を選択することができるようになり、ユーザにとって最適なタイミングで受け取ることができる。
【００７７】
また、受注サーバ５に画像データを送信する際に、当該画像データのファイルやファイル名にユーザを識別可能な識別情報（例えば、電話番号やＩＤＮｏ．）を含めることとしてもよい。これにより、受注サーバ５側は各所から送信されてくる多くの画像データを、ユーザ毎に混乱することなく振り分けることができる。また、万一のトラブルで画像データの所有者が分からなくなった場合にも、画像データのファイル内やファイル名に含まれた識別情報により、ユーザを識別できるようになる。
【００７８】
また、撮影装置１の撮影や画像閲覧等の機能をオフにし、スタンバイ状態でありながら、公衆回線網Ｎに常時接続する通信専用モードを設けてもよい。これにより、随時最新のステータス変更指示情報５３０を受信できるようになると共に、消費電力を抑えることもできる。
【００７９】
また、注文済の画像データの注文を取り消し可能か否かを受注サーバ５に問い合わせ、プリント作成をしていない画像データであれば、当該注文を取り消し可能としてもよい。これにより、例えば、撮影した画像データを全て注文した場合にも、その撮影の直後にプリントするべき画像データであったか否かを判断して、無駄なプリントを削減することができる。
【図面の簡単な説明】
【００８０】
【図１】プリント注文システムのシステム構成例を示すブロック図。
【図２】撮影装置の機能構成の一例を示すブロック図。
【図３】ステータ情報テーブルのデータ構成例を示す図。
【図４】受注サーバの機能構成の一例を示すブロック図。
【図５】撮影装置と受注サーバとのデータ通信のシーケンスフロー。
【図６】撮影装置の具体的な動作を説明するためのフローチャート。
【図７】受注サーバの具体的な動作を説明するためのフローチャート。
【図８】撮影装置の表示画面の遷移例を示す第１の図。
【図９】撮影装置の表示画面の遷移例を示す第２の図。
【図１０】撮影装置の表示画面の遷移例を示す第３の図。
【図１１】変形例におけるプリント注文システムのシステム構成例を示すブロック図。
【符号の説明】
【００８１】
１      撮影装置
５      受注サーバ
１０    制御部
２０    表示部
３０    入力部
４０    通信制御部
５０    撮像部
６０    記憶部
６１    画像蓄積テーブル
６２    認証用画像データ
６３    ステータス情報テーブル
６５    ＩＤ情報
６７    見積もり依頼情報
６９    注文情報
７０    外部メモリ
１００  制御部
２００  表示部
３００  入力部
４００  Ｉ／Ｆ部
５００  記憶部
５１０  認証結果データ
５２０  サービス条件情報
５３０  ステータス変更指示情報
６００  通信制御部
ＬＰ    無線ＬＡＮポート
Ｎ      公衆回線網
Ｓ      プリント注文システム
【図１】
2007072648.tif 000003
【図２】
2007072648.tif 000004
【図３】
2007072648.tif 000005
【図４】
2007072648.tif 000006
【図５】
2007072648.tif 000007
【図６】
2007072648.tif 000008
【図７】
2007072648.tif 000009
【図８】
2007072648.tif 000010
【図９】
2007072648.tif 000011
【図１０】
2007072648.tif 000012
【図１１】
2007072648.tif 000013